【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
ワイヤレス通信ネットワークを介して充電デバイスと接続するためのワイヤレス充電器であって、
電力信号を送信するように構成された送信機と、
前記送信された電力信号に基づいて負荷を検出するように構成された負荷検出器と、
前記負荷の検出に応答して、デバイスによって送信される1つまたは複数の接続要請についてスキャンするように構成されたデバイススキャナと、
前記送信された電力信号に応答して前記充電デバイスから前記ワイヤレス通信ネットワークを介して接続要請を受信するように構成された受信機であり、前記送信機が、前記受信された接続要請に応答して前記充電デバイスとの接続を確立する旨の接続要求を送信するようにさらに構成される、受信機と
を含むワイヤレス充電器。
【請求項２】
前記接続要請が充電サービスに関連付けられた充電情報を含む、請求項1に記載のワイヤレス充電器。
【請求項３】
前記充電情報がターゲットデバイスアドレスおよび充電サービスタイプを含む、請求項2に記載のワイヤレス充電器。
【請求項４】
前記接続要求が、前記送信された電力信号とは別の通信で送信される、請求項1に記載のワイヤレス充電器。
【請求項５】
前記電力信号が前記充電デバイスを充電する、請求項1に記載のワイヤレス充電器。
【請求項６】
前記充電デバイスが、充電中、通常モードで動作するのに十分な電力を含まない充電器電力供給モード、および前記充電デバイスが、充電中、前記通常モードで動作するのに十分な電力を含む自己電力供給モードを、前記充電デバイスが含む、請求項5に記載のワイヤレス充電器。
【請求項７】
前記充電器電力供給モードが、第1の物理的な実装によってサポートされ、前記自己電力供給モードが、第2の物理的な実装によってサポートされ、前記充電デバイスが、前記充電器電力供給モードであり、前記充電デバイスが、充電中、前記通常モードで動作するのに十分な電力の量を受信するとき、前記充電デバイスが、前記ワイヤレス充電器との接続を終了する、請求項6に記載のワイヤレス充電器。
【請求項８】
前記充電デバイスが、充電中、前記通常モードで動作するのに十分な電力の量を受信するとき、前記充電デバイスが、前記自己電力供給モードに移行し、前記充電デバイスが、前記ワイヤレス充電器との接続を再度確立する、請求項7に記載のワイヤレス充電器。
【請求項９】
前記充電器電力供給モードが、第1の物理的な実装によってサポートされ、前記自己電力供給モードが、前記第1の物理的な実装によってサポートされる、請求項6に記載のワイヤレス充電器。
【請求項１０】
前記充電デバイスが、充電中、前記ワイヤレス充電器との前記接続を終了することなく、前記通常モードで動作するのに十分な電力の量を受信するとき、前記充電デバイスが、前記充電器電力供給モードから前記自己電力供給モードに移行する、請求項9に記載のワイヤレス充電器。
【請求項１１】
前記充電デバイスが前記自己電力供給モードであるとき、前記送信機が、前記充電デバイスにおける充電動作を開始する旨の命令を送信するようにさらに構成される、請求項6に記載のワイヤレス充電器。
【請求項１２】
前記受信機が、前記充電デバイスから充電報告を受信するようにさらに構成され、前記充電報告が、前記充電デバイスの現在の充電レベルを含む、請求項1に記載のワイヤレス充電器。
【請求項１３】
前記送信機が、前記受信された充電報告に基づいて前記充電デバイスを充電停止命令を送信するようにさらに構成される、請求項12に記載のワイヤレス充電器。
【請求項１４】
ワイヤレス通信ネットワークを介して充電デバイスと接続するための方法であって、
電力信号を送信するステップと、
前記送信された電力信号に基づいて負荷を検出するステップと、
前記負荷の検出に応答して、デバイスによって送信される1つまたは複数の接続要請についてスキャンするステップと、
前記送信された電力信号に応答して前記充電デバイスから前記ワイヤレス通信ネットワークを介して接続要請を受信するステップと、
前記受信された接続要請に応答して前記充電デバイスとの接続を確立する旨の接続要求を送信するステップと
を含む方法。
【請求項１５】
接続要請を受信するステップが、充電サービスに関連付けられた充電情報を受信するステップを含む、請求項14に記載の方法。
【請求項１６】
前記充電情報がターゲットデバイスアドレスおよび充電サービスタイプを含む、請求項15に記載の方法。
【請求項１７】
接続要求を送信するステップが、前記送信された電力信号とは別の通信で前記接続要求を送信するステップを含む、請求項14に記載の方法。
【請求項１８】
電力信号を送信する前記ステップが、前記充電デバイスを充電するために前記電力信号を送信するステップをさらに含み、前記充電デバイスが、充電中、通常モードで動作するのに十分な電力を含まない充電器電力供給モード、および前記充電デバイスが、充電中、前記通常モードで動作するのに十分な電力を含む自己電力供給モードを、前記充電デバイスが含む、請求項14に記載の方法。
【請求項１９】
前記充電デバイスが、充電中、前記通常モードで動作するのに十分な電力の量を受信するとき、前記充電デバイスとの前記接続を終了するステップであり、前記充電器電力供給モードが、第1の物理的な実装によってサポートされ、前記自己電力供給モードが、第2の物理的な実装によってサポートされ、前記充電デバイスが、前記充電器電力供給モードである、ステップをさらに含む、請求項18に記載の方法。
【請求項２０】
前記充電デバイスが前記自己電力供給モードに移行した後、前記充電デバイスとの接続を再度確立するステップであり、前記充電デバイスが、充電中、前記通常モードで動作するのに十分な電力の量を受信するとき、前記充電デバイスが前記自己電力供給モードに移行する、ステップをさらに含む、請求項19に記載の方法。
【請求項２１】
前記充電デバイスが、前記充電器電力供給モードから前記自己電力供給モードに移行するとき、前記充電デバイスとの前記接続を維持するステップであり、前記充電器電力供給モードが、第1の物理的な実装によってサポートされ、前記自己電力供給モードが、前記第1の物理的な実装によってサポートされる、ステップをさらに含む、請求項18に記載の方法。
【請求項２２】
前記充電デバイスが前記自己電力供給モードであるとき、前記充電デバイスにおける充電動作を開始する旨の命令を送信するステップをさらに含む、請求項18に記載の方法。
【請求項２３】
前記充電デバイスから充電報告を受信するステップであり、前記充電報告が、前記充電デバイスの現在の充電レベルを含む、ステップをさらに含む、請求項14に記載の方法。
【請求項２４】
前記受信された充電報告に基づいて前記充電デバイスを充電停止命令を送信するステップをさらに含む、請求項23に記載の方法。
【請求項２５】
ワイヤレス通信ネットワークを介して充電デバイスと接続するための装置であって、
電力信号を送信するための手段と、
前記送信された電力信号に基づいて負荷を検出するための手段と、
前記負荷の検出に応答して、デバイスによって送信される1つまたは複数の接続要請についてスキャンするための手段と、
前記送信された電力信号に応答して前記充電デバイスから前記ワイヤレス通信ネットワークを介して接続要請を受信するための手段と、
前記受信された接続要請に応答して前記充電デバイスとの接続を確立する旨の接続要求を送信するための手段と
を含む装置。
【請求項２６】
接続要請を受信するための前記手段が、ターゲットデバイスアドレスおよび充電サービスタイプを受信するための手段を含む、請求項25に記載の装置。
【請求項２７】
接続要求を送信するための前記手段が、前記送信された電力信号とは別の通信で前記接続要求を送信するための手段を含む、請求項25に記載の装置。
【請求項２８】
電力信号を送信するための前記手段が、前記充電デバイスを充電するために前記電力信号を送信するための手段をさらに含み、前記充電デバイスが、充電中、通常モードで動作するのに十分な電力を含まない充電器電力供給モード、および前記充電デバイスが、充電中、前記通常モードで動作するのに十分な電力を含む自己電力供給モードを、前記充電デバイスが含む、請求項25に記載の装置。
【請求項２９】
前記充電デバイスが、充電中、前記通常モードで動作するのに十分な電力の量を受信するとき、前記充電デバイスとの接続を終了するための手段であり、前記充電器電力供給モードが、第1の物理的な実装によってサポートされ、前記自己電力供給モードが、第2の物理的な実装によってサポートされ、前記充電デバイスが、前記充電器電力供給モードである、手段をさらに含む、請求項28に記載の装置。
【請求項３０】
前記充電デバイスが、前記充電器電力供給モードから前記自己電力供給モードに移行するとき、前記充電デバイスとの前記接続を維持するための手段であり、前記充電器電力供給モードが、第1の物理的な実装によってサポートされ、前記自己電力供給モードが、前記第1の物理的な実装によってサポートされる、手段をさらに含む、請求項28に記載の装置。
【請求項３１】
前記充電デバイスが前記自己電力供給モードであるとき、前記充電デバイスにおける充電動作を開始する旨の命令を送信するための手段をさらに含む、請求項28に記載の装置。
【請求項３２】
電力信号を送信するための前記手段、および接続要請を送信するための前記手段が送信機を含み、負荷を検出するための前記手段が負荷検出器を含み、デバイスについてスキャンするための前記手段がデバイススキャナを含み、受信するための前記手段が受信機を含む、請求項25に記載の装置。
【請求項３３】
コードを含む非一時的コンピュータ可読記録媒体であって、前記コードが、実行されたときに、装置に、
電力信号を送信させ、
前記送信された電力信号に基づいて負荷を検出させ、
前記負荷の検出に応答して、デバイスによって送信される1つまたは複数の接続要請についてスキャンさせ、
前記送信された電力信号に応答して充電デバイスからワイヤレス通信ネットワークを介して接続要請を受信させ、
前記受信された接続要請に応答して前記充電デバイスとの接続を確立する旨の接続要求を送信させる
非一時的コンピュータ可読記録媒体。
【請求項３４】
実行されたときに、装置に、ターゲットデバイスアドレスおよび充電サービスタイプを受信させるコードをさらに含む、請求項33に記載の媒体。
【請求項３５】
実行されたときに、装置に、前記送信された電力信号とは別の通信で前記接続要求を送信させるコードをさらに含む、請求項33に記載の媒体。
【請求項３６】
実行されたときに、装置に、前記充電デバイスを充電するために前記電力信号を送信させるコードであり、前記充電デバイスが、充電中、通常モードで動作するのに十分な電力を含まない充電器電力供給モード、および前記充電デバイスが、充電中、前記通常モードで動作するのに十分な電力を含む自己電力供給モードを、前記充電デバイスが含む、コードをさらに含む、請求項33に記載の媒体。
【請求項３７】
実行されたときに、装置に、前記充電デバイスが、充電中、前記通常モードで動作するのに十分な電力の量を受信するとき、前記充電デバイスとの接続を終了させるコードであり、前記充電器電力供給モードが、第1の物理的な実装によってサポートされ、前記自己電力供給モードが、第2の物理的な実装によってサポートされ、前記充電デバイスが、前記充電器電力供給モードである、コードをさらに含む、請求項36に記載の媒体。
【請求項３８】
実行されたときに、装置に、前記充電デバイスが前記自己電力供給モードに移行した後、前記充電デバイスとの接続を再度確立させるコードであり、前記充電デバイスが、充電中、前記通常モードで動作するのに十分な電力の量を受信するとき、前記充電デバイスが前記自己電力供給モードに移行する、コードをさらに含む、請求項37に記載の媒体。